(57)【要約】【課題】容器内に収納された内容物の供給対象を区別し、容器を誤った供給対象に接続するのを防ぐことができる容器の接続構造を提供すること。【解決手段】容器の注入口に接続筒１４を設け、容器に収納された内容物と対応した形状の挿入孔１１を接続筒１４の先端に形成し、供給対象へ達する供給路に、該供給路を介して供給される内容物に対応した外形を有する挿入部２１を装着し、挿入部２１の外形が挿入孔１１の形状と一致して、挿入部２１を挿入孔１１へ係合した時、容器と供給対象の供給路とが接続される。【選択図】図１
0003121576.tif 000002
【実用新案登録請求の範囲】
【請求項１】
容器と、容器に収納された内容物の供給対象との接続構造であって、前記容器の注入口に接続筒を設け、該容器に収納された内容物と対応した形状の挿入孔を接続筒の先端に形成し、前記供給対象へ達する供給路に、該供給路を介して供給される内容物に対応した外形を有する挿入部を装着し、該挿入部の外形が前記挿入孔の形状と一致して、前記挿入部を挿入孔へ係合した時、前記容器と前記供給対象の供給路とが接続されることを特徴とした容器の接続構造。
【請求項２】
前記供給路の途中に、前記接続筒と着脱可能に係合される接続カバーを設けてある請求項１に記載された容器の接続構造。
【請求項３】
前記容器の注入口に接続キャップを着脱可能に装着し、該接続キャップの先端に前記接続筒を設けてある請求項１又は２に記載された容器の接続構造。
【請求項４】
前記接続筒の先端面に板体を嵌合すると共に、該板体に前記挿入孔を形成し、前記接続筒の先端部内周に、前記板体を位置決めする位置決めフィンを張り出し、前記容器の注入口と前記接続筒との間にパッキングを介在してある請求項３に記載された容器の接続構造。
【請求項５】
前記挿入孔が、孔本体と、該孔本体の外周から延びる少なくとも二つの切欠部とを備え、前記切欠部間の角度によって前記容器に収納された内容物を特定可能とし、前記挿入孔の周囲に、前記切欠部の位置又は名称を示す標示マークを設けてある請求項１乃至４のいずれかに記載された容器の接続構造。
【考案の詳細な説明】
【技術分野】
【０００１】
本考案は、容器と、容器内に収納された内容物の供給対象とを接続する容器の接続構造に関する。
【背景技術】
【０００２】
容器に入れた薬剤を特定の設備や注射筒へ供給するには、容器をコネクタ或いは注射筒と接続し、機械の力によって、或いは、物理的な力によって設備又は注射筒に注入している。
複数の薬剤を設備へ供給する場合には、薬剤の種類によって使用量や消耗速度が異なるため、薬剤ごとに専属のコネクタが設置され、容器を専属のコネクタに接続して薬剤の供給量を制御していた。
【０００３】
ところが、薬剤を収納した容器、及び、容器を接続するコネクタはほとんど同じ形状であって、ほとんどの容器はどのコネクタにも接続することができる。従って、薬剤供給を行う操作員は、容器内容物の識別方法について詳しく知っていなければならず、薬剤補充時にも細心の注意を払う必要がある。
しかしながら、現実には、容器の接続ミスなどにより、重大な事故が数多く発生している。
【考案の開示】
【考案が解決しようとする課題】
【０００４】
本考案が解決しようとする課題は、容器内に収納された内容物の供給対象を区別し、容器を誤った供給対象に接続するのを防ぐことができる容器の接続構造を提供することにある。
【課題を解決するための手段】
【０００５】
本考案は、容器と、容器に収納された内容物の供給対象とを接続する容器の接続構造に関し、前記容器の注入口に接続筒を設け、該容器に収納された内容物と対応した形状の挿入孔を接続筒の先端に形成し、前記供給対象へ達する供給路に、該供給路を介して供給される内容物に対応した外形を有する挿入部を装着し、該挿入部の外形が前記挿入孔の形状と一致して、前記挿入部を挿入孔へ係合した時、前記容器と前記供給対象の供給路とが接続される。
【０００６】
以下の構成を採用しても良い。
前記供給路の途中に、前記接続筒と着脱可能に係合される接続カバーを設けた構成。
前記容器の注入口に接続キャップを着脱可能に装着し、該接続キャップの先端に前記接続筒を設けた構成。
前記接続筒の先端面に板体を嵌合すると共に、該板体に前記挿入孔を形成し、前記接続筒の先端部内周に、前記板体を位置決めする位置決めフィンを張り出し、前記容器の注入口と前記接続筒との間にパッキングを介在した構成。
前記挿入孔が、孔本体と、該孔本体の外周から延びる少なくとも二つの切欠部とを備え、前記切欠部間の角度によって前記容器に収納された内容物を特定可能とし、前記挿入孔の周囲に、前記切欠部の位置又は名称を示す標示マークを設けた構成。
【考案の効果】
【０００７】
本考案によれば、供給対象側の挿入部の外形と、容器側の挿入孔の形状とが一致したときにのみ、容器を供給対象と接続して、容器内に収納されている内容物を供給対象へ供給することが可能なので、容器を接続すべき供給対象を確実に区別することができ、誤った内容物の供給による事故の発生を防ぐ。
【考案を実施するための最良の形態】
【０００８】
容器の注入口に接続筒を設け、容器に収納された内容物と対応した形状の挿入孔を接続筒の先端に形成する。
容器に収納された内容物を供給対象へ供給する供給路に、供給される内容物に対応した外形を有する挿入部を装着する。
挿入部の外形が挿入孔の形状と一致して、挿入部を挿入孔へ係合した時のみに、容器と供給対象の供給路とが接続可能となる。
以下、本考案の実施例を図面に基づいて詳細に説明する。
【実施例１】
【０００９】
図１〜図５は、本考案の実施例１を示す。
容器は、薬剤等の内容物を収納するものであって、図１及び図３に示すように、筒状の注入口が一体に突設された容器本体３０と、容器本体３０の注入口に着脱自在に被せた接続キャップ１０とを備える。
図２に示すように、接続キャップ１０の先端面からは、両端が開口した接続筒１４が一体に突出し、接続筒１４の先端開口部の内周には位置決めフィン１３が張り出している。
また、接続筒１４の先端面には板体１２が嵌合され、この板体１２が位置決めフィン１３によって、接続筒１４の先端面を塞ぐよう位置決めされている。
【００１０】
板体１２には、容器本体３０の内外を連通する挿入孔１１が形成されており、挿入孔１１の形状は、容器内に収納された内容物と対応した特有の形状とされる。
例えば、図５に示す例では、円形の孔本体１１１の外周から少なくとも２つの切欠部１１２を径方向に沿って延ばしてあり、切欠部１１２間の角度によって、容器内に収納された内容物を特定できるようになっている。
なお、挿入孔１１の周囲に切欠部１１２の位置又は名称を示す標示マークを表示しても良い。また、この標示マークを接続キャップ１０の外周面に表示して、使用者が外観から内容物を確認できるようにしても良い。
さらに、図２及び図４に示すように、容器本体３０の注入口の先端面と接続キャップ１０との間には、密封のためにパッキング１５を介在することもできる。
【００１１】
図１及び図３に示すように、供給対象側には、接続筒１４の外面に螺合可能な接続カバー２０が、チューブ２２を介して接続されている。接続カバー２０からはチューブ２２と連通したパイプ２３が延びており、チューブ２２とパイプ２３とによって、供給対象へ薬剤等の内容物を供給する供給路が形成されている。
また、パイプ２３の外周には挿入部２１が装着されている。挿入部２１の外形は、この供給路を介して供給される内容物に対応した特有の形状となっている。
そして、供給対象側に設けた挿入部２１の外形と、容器側に形成した挿入孔１１の形状とが一致した時にのみ、挿入部２１を挿入孔１１へ係合して、容器を供給対象の供給路へ接続し、容器の内容物を供給対象へ供給することができる。
【実施例２】
【００１２】
図６は、本考案の実施例２を示す。
容器の注入口に別体の接続キャップを装着せず、筒状の注入口を接続筒１４として、その先端面に板体１２を嵌合してある。
その他の構成は、実施例とほぼ同様なので、同一部分に同一符号を付して詳細な説明を省略する。
なお、供給対象から長いチューブ２２及びパイプ２３を延ばしたり、接続カバー２０を設ける必要は無く、供給路となる供給対象の接続端部に挿入部２１を直接設けることもできる。
【図面の簡単な説明】
【００１３】
【図１】実施例１を示す容器の接続構造の斜視図。
【図２】接続キャップの分解斜視図。
【図３】実施例１を示す容器の接続構造の分解斜視図。
【図４】実施例１を示す容器の接続構造の断面図。
【図５】板体の平面図。
【図６】実施例２を示す容器の接続構造の斜視図。
【符号の説明】
【００１４】
１０  接続キャップ
１１  挿入孔
１１１  孔本体
１１２  切欠部
１２  板体
１３  位置決めフィン
１４  接続筒
１５  パッキング
２０  接続カバー
２１  挿入部
２２  チューブ
２３  パイプ
３０  容器本体
【図１】
0003121576.tif 000003
【図２】
0003121576.tif 000004
【図３】
0003121576.tif 000005
【図４】
0003121576.tif 000006
【図５】
0003121576.tif 000007
【図６】
0003121576.tif 000008